(57)【要約】【課題】基板と素子、素子と光導波路の位置合わせが容易で、薄型化が可能で歩留まりの良い光導波路形成基板を提供すること。【解決手段】本発明の光導波路形成基板の製造方法は、基板２の開口２５に、基板２より厚さが厚い素子１をその上面側が開口２５から突出するように挿入する工程と、基板２の下面側に導体層３を形成し、素子１の下面側の端子１０５を導体層３の所定部位に電気的に接続する工程と、基板２の上面側の素子１を除く部分に接着層７および絶縁層６を介して導体層５を形成する工程と、素子１の上面側の端子１０３をワイヤ８にて導体層５の所定部位に電気的に接続する工程と、導体層５上および素子１の上面上に光導波路またはその一部（例えばクラッド層９１）を形成する工程とを有する。前記導体層５の形成は、その上面が素子１の上面とほぼ同一面を形成するように行われる。【選択図】図１３
2006178121.tif 000002
【特許請求の範囲】
【請求項１】
開口が設けられた基板の前記開口に、発光部または受光部をその上面側に有しかつ前記基板の厚さよりも厚い素子を、前記上面側が前記開口から突出するように挿入する工程と、
前記基板の下面側に第１導体層を形成するとともに、前記素子の下面側に設けられた端子を前記第１導体層の所定部位に電気的に接続する工程と、
前記基板の上面側の前記素子を除く部分に少なくとも１層の中間層を介して第２導体層を形成する工程と、
前記素子の上面側に設けられた端子を前記第２導体層の所定部位に電気的に接続する工程と、
前記第２導体層上および前記素子の上面上に光導波路またはその一部を形成する工程とを有することを特徴とする光導波路形成基板の製造方法。
【請求項２】
開口が設けられた基板の前記開口に、発光部または受光部をその上面側に有しかつ前記基板の厚さよりも厚い素子を、前記上面側が前記開口から突出するように挿入する工程と、
前記基板の上面側の前記素子を除く部分に少なくとも１層の中間層を介して第２導体層を形成する工程と、
前記素子の上面側に設けられた端子を前記第２導体層の所定部位に電気的に接続する工程と、
前記第２導体層上および前記素子の上面上に光導波路またはその一部を形成する工程とを有することを特徴とする光導波路形成基板の製造方法。
【請求項３】
前記いずれかの工程の前後に、前記基板の下面側に第１導体層を形成する工程を有する請求項２に記載の光導波路形成基板の製造方法。
【請求項４】
前記光導波路またはその一部を形成する工程以前に、未硬化の基板を熱硬化させて前記基板とする工程を有する請求項２または３に記載の光導波路形成基板の製造方法。
【請求項５】
前記開口への前記素子の挿入は、それらの厚さ方向の位置合わせが可能な治具を用いて行われる請求項１ないし４のいずれかに記載の光導波路形成基板の製造方法。
【請求項６】
第２導体層を形成する工程は、前記中間層の最上層上に形成された第２導体層に離型フィルムを接合し加圧して、前記中間層と前記基板とを圧着することにより行われる請求項１ないし５のいずれかに記載の光導波路形成基板の製造方法。
【請求項７】
前記中間層を構成する各層は、前記素子が挿入される開口を有するものである請求項１ないし６のいずれかに記載の光導波路形成基板の製造方法。
【請求項８】
前記中間層は、絶縁層を含む請求項１ないし７のいずれかに記載の光導波路形成基板の製造方法。
【請求項９】
前記中間層は、絶縁層と接着層とを含む請求項１ないし７のいずれかに記載の光導波路形成基板の製造方法。
【請求項１０】
前記第２導体層の形成は、その上面が前記素子の上面とほぼ同一面を形成するように行われる請求項１ないし９のいずれかに記載の光導波路形成基板の製造方法。
【請求項１１】
前記素子の上面側の端子と前記第２導体層との電気的接続は、ワイヤボンディングにより行われる請求項１ないし１０のいずれかに記載の光導波路形成基板の製造方法。
【請求項１２】
前記光導波路は、互いに屈折率の異なるコア部とクラッド部とを有し、前記コア部は、コア部形成用材料に活性エネルギー光線または電子線を照射することにより形成される請求項１ないし１１のいずれかに記載の光導波路形成基板の製造方法。
【請求項１３】
前記光導波路は、互いに屈折率の異なるコア部とクラッド部とを有し、前記コア部は、コア部形成用材料に活性エネルギー光線または電子線を照射するとともに加熱することにより形成される請求項１ないし１１のいずれかに記載の光導波路形成基板の製造方法。
【請求項１４】
前記コア部形成用材料は、環状オレフィン系樹脂を含む樹脂組成物で構成されている請求項１２または１３に記載の光導波路形成基板の製造方法。
【請求項１５】
前記環状オレフィン系樹脂は、ノルボルネン系樹脂を主とするものである請求項１４に記載の光導波路形成基板の製造方法。
【請求項１６】
前記光導波路の前記発光部または受光部に対応する部位に、前記光導波路の光路に対し傾斜する反射面を形成する工程を有する請求項１ないし１５のいずれかに記載の光導波路形成基板の製造方法。
【請求項１７】
前記光導波路を形成後、その上面側に少なくとも１層の他の層を接合する工程を有する請求項１ないし１６のいずれかに記載の光導波路形成基板の製造方法。
【請求項１８】
前記他の層は、可撓性を有する樹脂層および硬質の樹脂層のうちの少なくとも一方を含む請求項１７に記載の光導波路形成基板の製造方法。
【請求項１９】
前記基板の一部を除去し、前記中間層の少なくとも一部と前記光導波路とを含む可撓性部を形成する工程を有する請求項１ないし１８のいずれかに記載の光導波路形成基板の製造方法。
【請求項２０】
請求項１ないし１９のいずれかに記載の光導波路形成基板の製造方法により得られたことを特徴とする光導波路形成基板。
【請求項２１】
面方向に硬質部と可撓性部とが隣接して設けられている請求項２０に記載の光導波路形成基板。
【請求項２２】
前記素子は、前記硬質部の内部に内蔵されている請求項２１に記載の光導波路形成基板。
【請求項２３】
前記光導波路は、前記硬質部および前記可撓性部のそれぞれにおいてその内部に形成されている請求項２１または２２に記載の光導波路形成基板。
【発明の詳細な説明】
【技術分野】
【０００１】
本発明は、光導波路形成基板の製造方法および光導波路形成基板に関するものである。
【背景技術】
【０００２】
近年注目されている光通信の分野における光部品として、光分岐結合器（光カプラ）、光合分波器等が挙げられ、これらに用いる光導波路型素子が有望視されている。この光導波路型素子としては、従来の石英系光導波路の他、製造（パターニング）が容易で汎用性に富むポリマー系光導波路があり、近年では後者の開発が盛んに行われている。
【０００３】
このような光導波路型素子（単に「光導波路」とも言う）は、通常、基板上に形成され、光導波路形成基板として取り扱われる。この光導波路形成基板としては、基板上に所定の配線回路と、コア部およびクラッド部で構成される光導波路とを形成し、さらにこの光導波路に発光素子および受光素子を取り付けたものが開示されている（例えば、特許文献１参照）。
【０００４】
しかしながら、上記特許文献１に記載の光導波路形成基板では、次のような種々の欠点がある。
【０００５】
１．  基板に対し光導波路を形成（パターニング）するに際しての位置合わせがし難く、微細なパターンの光導波路を高い精度で形成するのには適さず、歩留まりが悪い。
【０００６】
２．  光導波路上の所望の箇所に発光素子および受光素子を載せて固定しているため、発光素子および受光素子が光導波路形成基板の上面に突出した構造となり、光導波路形成基板の厚さが厚くなる。さらに、光導波路に発光素子および受光素子を固定する際、その位置合わせがし難く、位置ずれ等が生じることにより、歩留まりの低下を招く。
【０００７】
３．  所定のパターンに形成された光導波路上の所望の箇所に発光素子および受光素子を載せて固定しているため、発光素子および受光素子に対する配線は、それらの片面にある端子に対してのみ可能となり、配線パターンの選択の幅が狭く、汎用性に乏しい。
【０００８】
【特許文献１】特開２００４−１４６６０２号公報
【発明の開示】
【発明が解決しようとする課題】
【０００９】
本発明の目的は、基板と素子あるいは素子と光導波路との位置合わせを容易かつ正確に行うことができるとともに、薄型化が可能で、歩留まりの良い光導波路形成基板の製造方法および光導波路形成基板を提供することにある。
【課題を解決するための手段】
【００１０】
このような目的は、下記（１）〜（２３）の本発明により達成される。
（１）  開口が設けられた基板の前記開口に、発光部または受光部をその上面側に有しかつ前記基板の厚さよりも厚い素子を、前記上面側が前記開口から突出するように挿入する工程と、
前記基板の下面側に第１導体層を形成するとともに、前記素子の下面側に設けられた端子を前記第１導体層の所定部位に電気的に接続する工程と、
前記基板の上面側の前記素子を除く部分に少なくとも１層の中間層を介して第２導体層を形成する工程と、
前記素子の上面側に設けられた端子を前記第２導体層の所定部位に電気的に接続する工程と、
前記第２導体層上および前記素子の上面上に光導波路またはその一部を形成する工程とを有することを特徴とする光導波路形成基板の製造方法。
【００１１】
（２）  開口が設けられた基板の前記開口に、発光部または受光部をその上面側に有しかつ前記基板の厚さよりも厚い素子を、前記上面側が前記開口から突出するように挿入する工程と、
前記基板の上面側の前記素子を除く部分に少なくとも１層の中間層を介して第２導体層を形成する工程と、
前記素子の上面側に設けられた端子を前記第２導体層の所定部位に電気的に接続する工程と、
前記第２導体層上および前記素子の上面上に光導波路またはその一部を形成する工程とを有することを特徴とする光導波路形成基板の製造方法。
【００１２】
（３）  前記いずれかの工程の前後に、前記基板の下面側に第１導体層を形成する工程を有する上記（２）に記載の光導波路形成基板の製造方法。
【００１３】
（４）  前記光導波路またはその一部を形成する工程以前に、未硬化の基板を熱硬化させて前記基板とする工程を有する上記（２）または（３）に記載の光導波路形成基板の製造方法。
【００１４】
（５）  前記開口への前記素子の挿入は、それらの厚さ方向の位置合わせが可能な治具を用いて行われる上記（１）ないし（４）のいずれかに記載の光導波路形成基板の製造方法。
【００１５】
（６）  第２導体層を形成する工程は、前記中間層の最上層上に形成された第２導体層に離型フィルムを接合し加圧して、前記中間層と前記基板とを圧着することにより行われる上記（１）ないし（５）のいずれかに記載の光導波路形成基板の製造方法。
【００１６】
（７）  前記中間層を構成する各層は、前記素子が挿入される開口を有するものである上記（１）ないし（６）のいずれかに記載の光導波路形成基板の製造方法。
【００１７】
（８）  前記中間層は、絶縁層を含む上記（１）ないし（７）のいずれかに記載の光導波路形成基板の製造方法。
【００１８】
（９）  前記中間層は、絶縁層と接着層とを含む上記（１）ないし（７）のいずれかに記載の光導波路形成基板の製造方法。
【００１９】
（１０）  前記第２導体層の形成は、その上面が前記素子の上面とほぼ同一面を形成するように行われる上記（１）ないし（９）のいずれかに記載の光導波路形成基板の製造方法。
【００２０】
（１１）  前記素子の上面側の端子と前記第２導体層との電気的接続は、ワイヤボンディングにより行われる上記（１）ないし（１０）のいずれかに記載の光導波路形成基板の製造方法。
【００２１】
（１２）  前記光導波路は、互いに屈折率の異なるコア部とクラッド部とを有し、前記コア部は、コア部形成用材料に活性エネルギー光線または電子線を照射することにより形成される上記（１）ないし（１１）のいずれかに記載の光導波路形成基板の製造方法。
【００２２】
（１３）  前記光導波路は、互いに屈折率の異なるコア部とクラッド部とを有し、前記コア部は、コア部形成用材料に活性エネルギー光線または電子線を照射するとともに加熱することにより形成される上記（１）ないし（１１）のいずれかに記載の光導波路形成基板の製造方法。
【００２３】
（１４）  前記コア部形成用材料は、環状オレフィン系樹脂を含む樹脂組成物で構成されている上記（１２）または（１３）に記載の光導波路形成基板の製造方法。
【００２４】
（１５）  前記環状オレフィン系樹脂は、ノルボルネン系樹脂を主とするものである上記（１４）に記載の光導波路形成基板の製造方法。
【００２５】
（１６）  前記光導波路の前記発光部または受光部に対応する部位に、前記光導波路の光路に対し傾斜する反射面を形成する工程を有する上記（１）ないし（１５）のいずれかに記載の光導波路形成基板の製造方法。
【００２６】
（１７）  前記光導波路を形成後、その上面側に少なくとも１層の他の層を接合する工程を有する上記（１）ないし（１６）のいずれかに記載の光導波路形成基板の製造方法。
【００２７】
（１８）  前記他の層は、可撓性を有する樹脂層および硬質の樹脂層のうちの少なくとも一方を含む上記（１７）に記載の光導波路形成基板の製造方法。
【００２８】
（１９）  前記基板の一部を除去し、前記中間層の少なくとも一部と前記光導波路とを含む可撓性部を形成する工程を有する上記（１）ないし（１８）のいずれかに記載の光導波路形成基板の製造方法。
【００２９】
（２０）  上記（１）ないし（１９）のいずれかに記載の光導波路形成基板の製造方法により得られたことを特徴とする光導波路形成基板。
【００３０】
（２１）  面方向に硬質部と可撓性部とが隣接して設けられている上記（２０）に記載の光導波路形成基板。
【００３１】
（２２）  前記素子は、前記硬質部の内部に内蔵されている上記（２１）に記載の光導波路形成基板。
【００３２】
（２３）  前記光導波路は、前記硬質部および前記可撓性部のそれぞれにおいてその内部に形成されている上記（２１）または（２２）に記載の光導波路形成基板。
【発明の効果】
【００３３】
本発明によれば、基板の開口に素子を挿入するので、素子の基板に対する位置合わせを容易かつ正確に行うことができ、特に基板の面方向のみならず厚さ方向の位置合わせも容易かつ正確に行うことができる。そして、素子は基板の開口内に挿入されるので、光導波路形成基板の薄型化に寄与する。
【００３４】
また、本発明によれば、基板の上面側、または上面側と下面側に導体層を形成し、この導体層に素子の端子を電気的に接続するので、素子への配線が容易であるとともに、素子の種類（端子の設置箇所）等に係わらずそれに適した配線が可能となり、汎用性に富む。
【００３５】
また、基板上面側の導体層を、その上面が素子の上面とほぼ同一面を形成するようにした場合には、該導体層と素子上の端子との電気的接続をより容易かつ確実に、小スペースで行うことができる。しかも、その結線部分の上に形成される光導波路を平坦な形状に形成することができるとともに、その厚さをできるだけ薄くすることができ、光導波路形成基板の薄型化に寄与する。
【００３６】
また、本発明によれば、素子と光導波路との位置合わせを容易かつ正確に行うことができる。
【００３７】
また、素子が光導波路形成基板の内部、特に硬質部の内部に内蔵されている場合には、光導波路形成基板の薄型化とともに、素子の破損防止による信頼性の向上に寄与する。
【００３８】
また、面方向に硬質部と可撓性部とが隣接して設けられている光導波路形成基板では、種々の電子部品、電子機器に対し用いることができ、かつ、電気回路の設計、光導波路のパターン等の設計の幅が広く、汎用性に富む。また、光導波路が硬質部および可撓性部のそれぞれにおいてその内部に形成されている場合には、前記利点を生かしつつ、光導波路の損傷、劣化等を有効に防止することができ、信頼性の向上に寄与する。
【００３９】
以上より、薄型化に有利で、歩留まりが良く、汎用性に富む光導波路形成基板を提供することができる。
【発明を実施するための最良の形態】
【００４０】
以下、本発明の光導波路形成基板の製造方法および光導波路形成基板について添付図面に示す好適実施形態に基づき詳細に説明する。
【００４１】
図１〜図２２は、それぞれ、本発明の光導波路形成基板の製造方法の工程例を模式的に示す断面図である。以下これらの図を参照しつつ製造工程を順次説明する。なお、以下の説明では、図８〜図２２中の上側を「上」または「上方」とし、下側を「下」または「下方」とする。
【００４２】
［１］  まず、発光素子または受光素子で構成される素子（以下、発光素子で代表する）１を基板２に組み込むための治具（作業台）１８を用意する。この治具１８は、図１に示すように、基板当て付け面１８０を有し、該基板当て付け面１８０側に素子１を挿入可能な凹部１８１と凸部１８３とが形成されている。
【００４３】
素子１には、上面側（図１中では下方の面側）に発光部１０１と端子１０３とが形成され、下面側（図１中では上方の面側）に端子１０５が形成されている。端子１０３、１０５間に通電がなされると、発光部１０１が発光する。素子１の厚さは、後述する基板２の厚さより厚い。
【００４４】
素子１の上面側（発光部１０１および端子１０３のある側）が凹部１８１の底面に当接するようにして素子１を凹部１８１内に挿入する（図２参照）。凹部１８１の平面形状は、素子１の平面形状とほぼ等しく、凹部１８１の深さは、素子１の厚さより若干浅い所定の値に設定されている。これにより、後述する工程で基板２に対する素子１の平面方向および厚さ方向の位置決めが適正になされる。凹部１８１内に素子１を挿入した状態では、素子１の下面側が基板当て付け面１８０より上方に突出している。
また、素子１の下面の端子１０５上には、半田ペースト４’を付与しておく。
【００４５】
［２］  未硬化の基板２’を用意する。この基板２’には、素子１に対応する形状の開口２５と、凸部１８３、１８３に対応する溝２１、２１とが形成されている（図２参照）。溝２１、２１間の部位は、後に除去される不要部（除去部）２３を構成する。
【００４６】
この基板２’を治具１８の基板当て付け面１８０に当て付ける。このとき、基板２’の開口２５に素子１の下面側の部分が挿入され、各溝２１に対応する凸部１８３が挿入される（図３参照）。これにより、基板２’に対する素子１の３次元方向、すなわち平面方向（平面上の直交する２方向）および厚さ方向の位置決めが適正になされる。基板２’の下面（図３中では上方の面）と素子１の下面とは一致しておらず、後述する半田４の厚さに相当する若干のギャップを有している。このギャップ内に半田４が挿入される。
【００４７】
［３］  次に、基板２’の下面（図３中では上方の面）に導体層（第１導体層）３を形成（接合）する。導体層３の形成方法としては、例えば、金属箔の接合（接着）、金属メッキ等の方法が挙げられる。また、導体層３を構成する材料は、銅、銅系合金、アルミニウム、アルミニウム系合金等の各種金属材料が挙げられる。導体層３の厚さは、特に限定されないが、通常、３〜１００μｍ程度が好ましく、５〜７０μｍ程度がより好ましい。
【００４８】
なお、本発明では、導体層３の形成後、該導体層３に対し所定のパターニングを施して、所望の形状の配線を形成してもよい。
【００４９】
［４］  次に、熱処理を施して、基板２’を熱硬化させ、硬質の基板（硬化後）２を得る。また、この熱処理により、半田ペースト４’が溶融し、素子の端子１０５が半田（ろう材）４を介して導体層３の所定部位に電気的に接続される（図３参照）。
【００５０】
基板２の構成材料としては、例えば、エポキシ樹脂、フェノール樹脂、ビスマレイミド樹脂、ビスマレイミド・トリアジン樹脂、トリアゾール樹脂、ポリシアヌレート樹脂、ポリイソシアヌレート樹脂、ベンゾシクロブテン樹脂等が挙げられる。また、これらの材料は、単独で使用してもよく、複数を混合して使用してもよい。
【００５１】
基板２の厚さは、特に限定されないが、通常、５０〜１０００μｍ程度が好ましく、１００〜５００μｍ程度がより好ましい。
【００５２】
前記熱処理の条件としては、基板２の構成材料等により適宜決定されるが、通常は、８０〜３００℃で１０〜１８０分程度が好ましく、１２０〜２６０℃で６０〜１２０分程度がより好ましい。
【００５３】
以上の作業が終了したら、治具１８を取り外す（図４参照）。これにより、下面側に導体層３が形成された基板２の開口２５に素子１がその上面側が開口２５から突出するようにして固定され、かつ素子１の端子１０５と導体層３の所定部位とが導通したものが得られる。
【００５４】
なお、治具１８を取り外す際に治具１８と基板２との剥離性を向上するために、治具１８上に例えば離型処理されたアルミ箔等の離型シートを予め設置しておいてもよい。
【００５５】
［５］  一方、絶縁層６と導体層（第２導体層）５とを接合したものを用意する（図５参照）。この絶縁層６は、導体層５に対する絶縁機能を有する他に、後述する可撓性部１７５を形成したときにその強度を担うものとなる。また、後に形成される光導波路９の下面側を保護する機能も有する。
【００５６】
絶縁層６としては、例えば、可撓性を有する樹脂製のフィルム（シート材）を用いることができ、その構成材料としては、例えば、ポリアミド、ポリイミド、ポリアミドイミド、ポリエーテルイミド、ポリエステルイミド、ポリエチレンテレフタレート等のポリエステル、ポリエーテルエーテルケトン、ポリエチレンサルファイド、ポリフェニレンサルフィド、ポリキノリン、ポリノルボルネン、ポリベンゾオキサゾール、ポリベンゾイミダゾール、エポキシ樹脂、フェノール樹脂、ビスマレイミド樹脂、ビスマレイミド・トリアジン樹脂、トリアゾール樹脂、ポリシアヌレート、ポリイソシアヌレート、ベンゾシクロブテン樹脂等が挙げられる。また、これらの材料は、単独で使用してもよく、複数を混合して使用してもよい。また、絶縁層６は、組成の異なる樹脂材料の層を複数積層した積層体であってもよい。
【００５７】
絶縁層６の厚さは、特に限定されないが、絶縁機能と強度とを考慮して、５〜１００μｍ程度が好ましく、１０〜８０μｍ程度がより好ましい。
【００５８】
導体層５は、前述した導体層３と同様のものを用いることができ、その好ましい形成方法、構成材料、厚さ等の条件もそれと同様である。
【００５９】
［６］  絶縁層６に対し所定のパターニングを施す（図６参照）。その方法は特に限定されないが、例えばレーザ光の照射により溝６１を形成し、その内側を不要部（除去部）６３として除去し、素子１が挿入し得る開口６５を形成する（図６、図７参照）。この開口６５は、基板の開口２５とほぼ等しい形状または開口２５を包含する形状をなしている。
【００６０】
また、導体層５に対し所定のパターニングを施して、所望の形状の配線５１を形成する。このパターニングは、例えば、エッチングにより行うことができる。
【００６１】
また、このパターニングにより、導体層５の開口６５に対応する部位には、配線５１の形成と共に除去部５３が形成される。この除去部５３は、開口６５を包含する領域に形成され、除去部５３の縁部は開口６５の縁部より外側に位置している（図７参照）。これにより、導体層５が素子１と直接接触することが防止され（図９参照）、短絡等の可能性が防止される。
【００６２】
なお、絶縁層６と導体層５の積層、絶縁層６のパターニング、導体層５のパターニングは、上述した順序に限らず、任意の順序で図７に示すものを得ることができる。例えば、予めパターニングされた絶縁層６に導体層５を形成し、該導体層５にパターニングを施して配線５１とする方法でもよい。
【００６３】
［７］  接着層７を用意する。この接着層７は、基板２と絶縁層６とを接着するものであり、基板２の溝２１および不要部２３に対応する形状の開口７１と、素子１が挿入し得る開口７３とが形成されている（図８参照）。開口７３は、基板の開口２５とほぼ等しい形状または開口２５を包含する形状をなしている。
【００６４】
接着層７としては、シート材（ボンディングシート）を用いることができ、その構成材料としては、例えば、エポキシ系接着剤、アクリル系接着剤、フェノール樹脂系接着剤、シアネート樹脂系接着剤、マレイミド樹脂系接着剤等が挙げられる。特に、酸化防止等のために、フラックス活性を有する材料で構成されているのが好ましい。
【００６５】
なお、本発明では、接着層７としてシート材を用いず、基板２の上面または絶縁層６の下面に塗膜による接着層７を形成してもよい。また、接着層７は、２層以上を積層したものでもよい。
【００６６】
このような接着層７の厚さは、特に限定されないが、０．５〜１５０μｍ程度が好ましく、１０〜７０μｍ程度がより好ましい。
【００６７】
［８］  前記工程［４］で得られた素子１が搭載された基板２を素子１の発光部１０１が上方に向くように載置し、その上に接着層７、配線５１が形成された絶縁層６および離型フィルム（リリースフィルム）１９を順次重ねる（図８参照）。このとき、素子１の開口２５からの突出部分が接着層７の開口７３および絶縁層６の開口に挿入され、基板２に対する接着層７および絶縁層６の平面方向の位置合わせがなされる。
【００６８】
離型フィルム１９は、次工程で加圧する際に、面方向に均一に加圧するために用いられるものであり、そのために離型フィルム１９の構成材料としては、緩衝機能（クッション性）を有するものが好ましい。さらに、接合する部位（配線５１で構成される導体層５および）に対する埋め込み性および離型性に優れるものが好ましい。
【００６９】
このような離型フィルム１９としては、緩衝層と、該緩衝層の下面側に接合され、導体層５に圧着される離型層とを有するものが好ましい。緩衝層の構成材料としては、例えばポリエチレン、ポリプロピレン等のポリオレフィンが挙げられ、離型層の構成材料としては、例えばポリメチルペンテンコポリマーが挙げられる。
【００７０】
［９］  図９中の矢印で示すように、離型フィルム１９の上面側から加圧し、基板２と接着層７と配線５１付きの絶縁層６とを圧着する。これにより、基板２と配線５１付きの絶縁層６とが接着層７を介して接合、一体化される。この圧着作業は、加熱下で行われるのが好ましい。加熱の温度は、接着層７の構成材料等により適宜決定されるが、通常は、８０〜２００℃が好ましく、１２０〜１８０℃がより好ましい。
【００７１】
［１０］  離型フィルム１９を剥離、除去する。これにより、最下層および最上層にそれぞれ導体層３および導体層５（配線５１）を有し、素子１を搭載した基板２が得られる（図１０参照）。この場合、図１０に示すように、導体層５（配線５１）の上面は、素子１の上面とほぼ同一面を形成している、すなわち、導体層５と素子１の上面同士が厚さ方向にほぼ一致している（高低差が例えば１０μｍ以下）のが好ましい。その理由は、次工程で説明する。
【００７２】
導体層５（配線５１）の上面と素子１の上面とをほぼ同一面とするには、導体層５の厚さ、絶縁層６の材質（圧着による収縮の度合い）、層数、厚さ、接着層７の材質（圧着による収縮の度合い）、層数、厚さ、加圧条件、加熱条件等の各条件を適宜選択して、圧着工程（工程［９］）後の導体層５、絶縁層６および接着層７の合計厚さが素子１の開口２５からの突出部分の高さ（厚さ）Ｈとほぼ等しくなるようにすればよい。
【００７３】
［１１］  素子１の上面側の端子１０３を配線５１の所定部位に電気的に接続する。この方法は、金属製のワイヤ８によりワイヤボンディングすることにより行うのが好ましい（図１１参照）。電気接続の作業効率がよく、断線等が極めて少なく、信頼性が高いからである。
【００７４】
このワイヤボンディングに代表される電気接続作業に際しては、前述したように導体層５（配線５１）の上面と素子１の上面とがほぼ同一面を形成しているため、作業を容易かつ確実に行うことができるとともに、ワイヤ８の両端部に段差（高さの差）を生じることなく接続（結線）することができるので、ワイヤ８の長さをより短くすることができる。
【００７５】
また、ワイヤ８が上方に向かって山形に湾曲突出する場合でも、その高さをできるだけ小さくすることができ、よって、結線部分の小スペース化が図れ、また、断線の防止にも寄与する。さらに、その上に形成される光導波路９を平坦な形状に形成することができるとともに、その厚さをできるだけ薄くすることができる。
【００７６】
［１２］  次に、前記工程［１１］により得られた素子１が搭載された基板２の上面側、すなわち配線５１および素子１の上面上に、光導波路９を形成する。光導波路９は、互いに屈折率が異なるコア部とクラッド部とを有するものであり、以下に述べる複数の工程を経て形成される。以下、その工程を順次説明する。
【００７７】
まず、配線５１および素子１の上面上に、クラッド層（下部クラッド層）９１を形成する（図１２参照）。クラッド層９１の形成方法としては、別途製造されたシート材を接合する方法、クラッド材（クラッド部形成用材料）を含む樹脂組成物（ワニス等）を塗布し硬化（固化）させる方法、硬化性を有するモノマー組成物を塗布し硬化（固化）させる方法等、いかなる方法でもよい。
【００７８】
クラッド層９１の構成材料としては、例えば、アクリル系樹脂、メタクリル系樹脂、ポリカーボネート、ポリスチレン、エポキシ樹脂、ポリアミド、ポリイミド、ポリベンゾオキサゾール、ポリシラン、ポリシラザン、また、ベンゾシクロブテン系樹脂やノルボルネン系樹脂等の環状オレフィン系樹脂等が挙げられ、これらのうちの１種または２種以上を組み合わせて（ポリマーアロイ、ポリマーブレンド（混合物）、共重合体、複合体（積層体）など）用いることができる。
【００７９】
これらのうち、特に耐熱性に優れるという点で、エポキシ樹脂、ポリイミド、ポリベンゾオキサゾール、ポリシラン、ポリシラザン、ベンゾシクロブテン系樹脂やノルボルネン系樹脂等の環状オレフィン系樹脂、またはそれらを含むもの（主とするもの）を用いるのが好ましい。
【００８０】
環状オレフィン系樹脂としては、例えば、不飽和オレフィン誘導体の環化付加重合体、環状オレフィンモノマーの（共）重合体、環状オレフィンモノマーとα−オレフィン類等の共重合可能な他のモノマーとの共重合体、およびこれらの共重合体の水素添加物等が挙げられる。これらの重合体としては、ランダム共重合体、ブロック共重合体、交互共重合体等が挙げられる。これら環状オレフィン系樹脂は、公知の重合法により製造することが可能であり、その重合方法には付加重合法と開環重合法とが挙げられる。このうち、ノルボルネン型モノマーを重合（特に、付加（共）重合）することによって得られた重合体が好ましい。このものは、透明性、可撓性に富むことからも好ましい。ただし、本発明は、なんらこれに限定されるものではない。
【００８１】
前記環状オレフィン系樹脂の付加重合体としては、例えば、（１）ノルボルネン型モノマーを付加（共）重合して得られるノルボルネン型モノマーの付加（共）重合体、（２）ノルボルネン型モノマーとエチレンやα−オレフィン類との付加共重合体、（３）ノルボルネン型モノマーと非共役ジエン、および必要に応じて他のモノマーとの付加共重合体等が挙げられる。これらの樹脂は、公知のすべての重合方法で得ることができる。
【００８２】
また、前記環状オレフィン系樹脂の開環重合体としては、例えば、（４）ノルボルネン型モノマーの開環（共）重合体、および必要に応じて該（共）重合体を水素添加した樹脂、（５）ノルボルネン型モノマーとエチレンやα−オレフィン類との開環共重合体、および必要に応じて該（共）重合体を水素添加した樹脂、（６）ノルボルネン型モノマーと非共役ジエン、または他のモノマーとの開環共重合体、および必要に応じて該（共）重合体を水素添加した樹脂が挙げられる。これらの樹脂は、公知のすべての重合方法で得ることができる。
【００８３】
クラッド層９１を塗布法で形成する場合、例えば、スピンコート法、ディッピング法、テーブルコート法、スプレー法、アプリケーター法、カーテンコート法、ダイコート法等の方法が挙げられる。これは、後述するクラッド層９７の形成においても同様である。
【００８４】
［１３］  次に、クラッド層９１上に、コア層９３を形成する（図１３参照）。コア層９３の形成方法としては、例えば、別途製造されたシート材を接合する方法、コア材（コア部形成用材料）を含む樹脂組成物（ワニス等）を塗布し硬化（固化）させる方法、硬化性を有するモノマー組成物を塗布し硬化（固化）させる方法が挙げられる。
【００８５】
コア層９３の構成材料としては、例えば、アクリル系樹脂、メタクリル系樹脂、ポリカーボネート、ポリスチレン、エポキシ樹脂、ポリアミド、ポリイミド、ポリベンゾオキサゾール、ポリシラン、ポリシラザン、また、ベンゾシクロブテン系樹脂やノルボルネン系樹脂等の環状オレフィン系樹脂等が挙げられるが、活性エネルギー光線または電子線の照射により（あるいはさらに加熱することにより）屈折率が変化する材料で構成されているのが好ましい。
【００８６】
このような材料の好ましい例としては、ポリシラン（例：ポリメチルフェニルシラン）、ポリシラザン（例：ペルヒドロポリシラザン）等のシラン系樹脂や、（１）ノルボルネン型モノマーを付加（共）重合して得られるノルボルネン型モノマーの付加（共）重合体、（２）ノルボルネン型モノマーとエチレンやα−オレフィン類との付加共重合体、（３）ノルボルネン型モノマーと非共役ジエン、および必要に応じて他のモノマーとの付加共重合体、（４）ノルボルネン型モノマーの開環（共）重合体、および必要に応じて該（共）重合体を水素添加した樹脂、（５）ノルボルネン型モノマーとエチレンやα−オレフィン類との開環共重合体、および必要に応じて該（共）重合体を水素添加した樹脂、（６）ノルボルネン型モノマーと非共役ジエン、または他のモノマーとの開環共重合体、および必要に応じて該（共）重合体を水素添加した樹脂等のノルボルネン系樹脂、その他、光硬化反応性モノマーを重合することにより得られるアクリル系樹脂、エポキシ樹脂等が挙げられるが、これらの中でも特にノルボルネン系樹脂が好ましい。
【００８７】
コア層９３を塗布法で形成する場合、例えば、スピンコート法、ディッピング法、テーブルコート法、スプレー法、アプリケーター法、カーテンコート法、ダイコート法等の方法が挙げられる。
【００８８】
［１４］  前工程で得られたコア層９３に対し、マスク２０を用いて活性エネルギー光線または電子線を図１４中上方より選択的に照射し、所望の形状のコア部９４をパターニングする。コア部９４は、平面視で発光部１０１と重なるような（好ましくは発光部１０１を包含するような）パターン形状で形成される。
【００８９】
マスク２０には、形成すべきコア部９４のパターンと等価な開口（窓）２０１が形成されている（図１４参照）。この開口２０１は、照射する活性エネルギー光線または電子線が透過する透過部を形成するものである。
【００９０】
マスク２０は、予め形成（別途形成）されたもの（例えばプレート状のもの）でも、コア層９３上に例えば気相成膜法や塗布法により形成されたものでもよい。マスク２０として好ましいものの例としては、石英ガラスやＰＥＴ基材等で作製されたフォトマスク、ステンシルマスク、気相成膜法（蒸着、スパッタリング等）により形成された金属薄膜等が挙げられるが、これらの中でもフォトマスクやステンシルマスクを用いるのが特に好ましい。微細なパターンを精度良く形成することができるとともに、ハンドリングがし易く、生産性の向上に有利であるからである。
【００９１】
また、図１４においては、形成すべきコア部９４のパターンと等価な開口（窓）２０１は、光照射部のパターンに沿ってマスクを部分的に除去したものを示したが、前記石英ガラスやＰＥＴ基材等で作製されたフォトマスクを用いる場合、該フォトマスク上に例えばクロム等の金属による遮蔽材で構成された活性エネルギー光線または電子線の遮蔽部を設けたものを用いることもできる。このマスクでは、遮蔽部以外の部分が前記窓（透過部）となる。
【００９２】
露光に用いる活性エネルギー光線は、可視光、紫外光、赤外光、レーザ光等が挙げられる。また、電子線は、例えば５０〜２０００ＫＧｙ程度の照射量で照射することができる。
【００９３】
マスク２０の構成材料としては、照射する活性エネルギー光線または電子線により適宜選定される。活性エネルギー光線を照射する場合、その活性エネルギー光線を遮光し得る材料とされ、電子線を照射する場合、電子線を遮断する材料とされる。このような特性を有するものであれば、マスク２０の材料自体は、公知のいずれのものも使用することができる。
【００９４】
コア層９３において、活性エネルギー光線または電子線が照射された部位は、その屈折率が変化し（コア層９３の材料により、屈折率が増大する場合と減少する場合とがある）、活性エネルギー光線または電子線が照射されなかった部位との間で屈折率の差が生じる。図１４に示す例では、コア層９３の活性エネルギー光線または電子線が照射された部位（図１４中点線で示す）がコア部９４となり、照射されなかった部位がクラッド部９５となる。クラッド部９５の屈折率は、クラッド層９１および後述するクラッド層９７の屈折率とほぼ等しい。
【００９５】
コア部９４とクラッド部９５との屈折率の差は、特に限定されないが、０．３〜５．５％程度が好ましく、特に０．８〜２．２％程度が好ましい。屈折率の差が前記下限値未満であると光を伝達する効果が低下する場合があり、前記上限値を超える場合は、電子線照射による分解反応が過剰に起こっている可能性が大きく、長期安定性が低下する場合がある（ただし、活性エネルギー光線の照射の場合には、かかる問題は生じない）。
【００９６】
なお、前記屈折率差とは、コア部９４の屈折率をＡ、クラッド部９５の屈折率をＢとしたとき、次式で表される。
屈折率差（％）＝｜Ａ／Ｂ−１｜×１００
【００９７】
本工程において、コア層９３における活性エネルギー光線または電子線の照射部位の位置決め、すなわち、最上層にクラッド層９１を有する素子１搭載済みの基板２に対するマスク２０の位置合わせは、素子１の発光部１０１および端子１０３のうちの少なくとも一方を指標として行うのが好ましい。これにより、容易に正確な位置合わせを行うことができ、短い作業時間で高精度のパターニングが可能となる。
【００９８】
この位置合わせは、例えば、ＣＣＤカメラにより素子１の発光部１０１および／または端子１０３位置を把握し、この位置を基準（指標）にして、素子１搭載済みの基板２に対するマスク２０の位置（相対的な位置関係）を決定することにより行う。
【００９９】
位置決め方法の一例についてより詳細に説明すると、マスク２０を固定するとともにその上方に素子１を撮像し得るＣＣＤカメラ（図示せず）を固定し、一方、素子１搭載済みの基板２を例えばＸＹステージまたはロボットにより図１４中Ｘ方向およびＹ方向にそれぞれ移動し得るように支持し、ＣＣＤカメラで撮像し、把握（記憶）した発光部１０１の位置に開口２０１の箇所Ａが一致するように素子１搭載済みの基板２を２次元方向（Ｘ方向、Ｙ方向および回転（θ）方向）に適宜移動し、固定する。もちろん、素子１搭載済みの基板２側を固定し、マスク２０側を移動してもよいし、双方を移動してもよい（例えば、素子１搭載済みの基板２はＸ方向に移動し、マスク２０はＹ方向に移動する）。
【０１００】
このように、発光部１０１を基準として位置合わせをする場合、面方向においてマスク２０の開口２０１（コア部９４が形成されるべき部分）の所定部位が発光部１０１と重なるように位置合わせを行うが、端子１０３を基準として位置合わせを行うこともできる。すなわち、発光部１０１と端子１０３との位置関係は素子１に固有のものであり既知であるため、端子１０３の位置を基準とし、前記と同様にして、マスク２０の開口２０１の所定部位（箇所Ａ）が発光部１０１と重なるように、素子１搭載済みの基板２をマスク２０に対し２次元方向（Ｘ方向、Ｙ方向および回転（θ）方向）に相対的に移動して位置合わせを行うことができる。
【０１０１】
また、発光部１０１と端子１０３の双方（２点）を基準として同様の位置合わせを行うこともできる。この場合には、平面上の２点を特定して位置合わせを行うことができるので、例えば素子１搭載済みの基板２のマスク２０に対する回転等のズレも補正することができ、より正確な位置合わせが可能となる。
【０１０２】
また、さらに他の１または２点以上を基準点として位置合わせを行ってもよい。基板２に複数の素子１が搭載されている場合、すなわち、例えば発光素子と受光素子が１または２組以上搭載されている場合、１つの素子の発光部（または端子）と他の１つの素子の受光部（または端子）を指標（基準点）として位置合わせを行うことができる。この場合、各基準点はそれぞれ異なる素子上に形成されており、それらは相当距離離間しているため、さらに正確な位置合わせを行うことができる。
【０１０３】
なお、本実施形態では、クラッド層９１上にコア層９３を形成し、マスク２０を用いて露光してコア部９４を形成しているが、これに限らず、例えば別途コア層を形成し、該コア層に対し同様のマスクを用いてコア部を形成し、かかるコア部が形成されたコア層をクラッド層９１に接合する方法を採用してもよい。
【０１０４】
また、マスク２０を用いず、コア層９３に対し例えばレーザ光のような指向性の良い活性エネルギー光線（または電子線）を直接照射してコア部９４を形成してもよい。この場合でも、照射位置の設定には、前述したような位置合わせの方法、すなわち発光部１０１および／または端子１０３を基準として位置合わせを行うことができ、前記と同様の効果を奏する。
【０１０５】
また、コア層９３に対し活性エネルギー光線または電子線を所定のパターンで照射し、加熱することにより、コア部９４を形成してもよい。例えば、コア層９３の主材料として前述したノルボルネン系樹脂を用いる場合、この加熱工程を付加することにより、コア層９３の構成材料中で重合が促進され、コア部９４とクラッド部９５との屈折率の差がより大きくなるので好ましい。加熱の温度は、例えば、４０〜１６０℃程度とすることができる。
【０１０６】
また、コア部９４の形成は、通常のフォトリソグラフィー法により行ってもよい。すなわち、レジスト層を形成し、コア部９４のパターンに露光、現像し、現像された部分（凹部）にコア部９４を構成する材料を充填してコア部９４を形成してもよい。この場合でも、露光の際の光の照射位置の設定には、前述したような位置合わせの方法、すなわち発光部１０１および／または端子１０３を基準として位置合わせを行うことができ、前記と同様の効果を奏する。
【０１０７】
形成されるコア部９４のパターン形状としては、特に限定されず、直線状、湾曲部を有する形状、分岐部または交差部を有する形状、集光部（幅等が減少している部分）または光拡散部（幅等が増大している部分）、あるいはこれらのうちの２以上を組み合わせた形状等、いかなるものでもよい。
【０１０８】
なお、上記では、コア層９３に対しマスク２０を用いて活性エネルギー光線または電子線を所望のパターンで照射し、照射された部分をコア部９４とする場合について説明したが、これに限らず、形成すべきクラッド部９５と等価な開口（窓）を有するマスクまたは少なくとも形成すべきコア部９４と等価な遮蔽部が形成されたマスクを用いて、活性エネルギー光線または電子線を所望のパターンで照射し、照射された部分をクラッド部９５とすることによりコア部９４（照射されない部分）を形成してもよい。この場合でも、前記と同様の位置合わせ方法により位置合わせを行うことができる。
【０１０９】
［１５］  以上のようにしてコア層９３にコア部９４が形成されたら、コア部９４の発光部１０１の真上の位置に、反射面９６を形成する（図１５参照）。この反射面９６は、光導波路の光路、すなわちコア部９４の長手方向に対しほぼ４５°傾斜している。
【０１１０】
反射面９６の形成方法としては、切削、レーザ光の照射等によりクラッド層９１およびコア層９３を部分的に除去する方法が挙げられる。
【０１１１】
なお、反射面９６の形成に際しても、その位置合わせは、発光部１０１および／または端子１０３を基準（指標）として行うことができる。
【０１１２】
［１６］  絶縁層（可撓性を有する樹脂層）１０と導体層１１とを接合したものを用意する（図１６参照）。この絶縁層１０は、導体層１１に対する絶縁機能を有する他に、後述する可撓性部１７５を形成したときにその強度を担うものとなる。また、光導波路９の上面側を保護する機能も有する。
【０１１３】
絶縁層１０の構成材料、層構成、厚さ等の条件は、前記絶縁層６と同様のものが挙げられる。導体層１１も、前述した導体層３、５と同様のものを用いることができ、その好ましい形成方法、構成材料、厚さ等の条件もそれらと同様である。
【０１１４】
［１７］  導体層１１に対し所定のパターニングを施して、所望の形状の配線１１１を形成する（図１７参照）。このパターニングは、例えばエッチングや印刷等の方法により行うことができる。
【０１１５】
［１８］  配線１１１が形成された絶縁層１０の下面にクラッド層（上部クラッド層）９７を形成する（図１８参照）。クラッド層９７の形成方法としては、別途製造されたシート材を接合する方法、クラッド材（クラッド部形成用材料）を含む樹脂組成物（ワニス等）を塗布し硬化（固化）させる方法、硬化性を有するモノマー組成物を塗布し硬化（固化）させる方法等、いかなる方法でもよい。
【０１１６】
クラッド層９７の構成材料としては、前記クラッド層９１で挙げたものと同様のものが挙げられ、それらのうちの好ましい材料についても同様である。
【０１１７】
［１９］  上面に導体層１３が形成（接合）された硬化済みの基板（硬質の樹脂層）１２を用意する（図１９参照）。導体層１３は、前述した導体層３、５と同様のものを用いることができ、その好ましい形成方法、構成材料、厚さ等の条件もそれらと同様である。基板１２には、溝１２１、１２１が形成されおり、溝１２１、１２１間の部位は、後に除去される不要部（除去部）１２３を構成する。
【０１１８】
なお、基板１２は、硬化済のものでも未硬化のものでもよいが、後者の場合、図２０に示す接合工程までの間に、加熱により硬化させておく。
【０１１９】
［２０］  接着層１４を用意する。この接着層１４は、基板１２と絶縁層１０とを接着するものであり、基板１２の溝１２１および不要部１２３に対応する形状の開口１４１が形成されている（図１９参照）。
接着層１４の形態、構成材料、厚さ等は、前記接着層７と同様のものが挙げられる。
【０１２０】
［２１］  図１９に示すように、素子１搭載済みの基板２のコア層９３上に、前記工程［１８］で得られたクラッド層９７、配線１１１および絶縁層１０の積層体を重ね、さらにその上に接着層１４を重ね、さらにその上に基板１２および導体層１３の積層体を重ねる。このとき、基板２の溝２１および不要部２３と、接着層１４の開口１４１と、基板１２の溝１２１および不要部１２３とが面方向で一致するように位置合わせを行う。
【０１２１】
［２２］  重ねられた素子１搭載済みの基板２と、クラッド層９７、配線１１１および絶縁層１０の積層体と、接着層１４と、基板１２および導体層１３の積層体とに、図２０中の矢印で示すように、導体層１３の上面側から加圧し、これらを圧着する。この圧着作業は、加熱下で行われるのが好ましい。加熱の温度は、コア層９３、クラッド層９７、接着層１４の構成材料等により適宜決定されるが、通常は、８０〜２００℃が好ましく、１２０〜１８０℃がより好ましい。
【０１２２】
以上のような圧着作業により、接合体１７’が得られる。すなわち、コア層９３とクラッド層９７とが接合されて、クラッド層９１、９７間にコア層９３が介挿された光導波路９が得られ、また、接着層１４を介して絶縁層１０と基板１２とが接合された上部補強部が形成される。
【０１２３】
この接合体１７’では、光導波路９および素子１は、いずれも、硬質の基板２、１２間に位置し、表面に露出せず、接合体１７’に内蔵された構成となっている（図２０〜図２２参照）。従って、接合体全体の厚さを薄くすることができるとともに、表面に露出することによる破損も防止され、電子部品の信頼性の向上に寄与する。
【０１２４】
［２３］  次に、接合体１７’の所定箇所に、ビアホール１５を形成する（図２１参照）。図示の例では、ビアホール１５は、配線５１と導体層３（後述する配線３３）とを電気的に接続するためのものである。
【０１２５】
ビアホール１５の形成方法としては、例えば、ドリルによる穿設、レーザ光の照射が挙げられる。
【０１２６】
ビアホール１５の形成位置、形成パターン、形成方法等は、特に限定されない。例えば、光導波路９を貫通するビアホールを設けてもよいし、接合体１７’全体を貫通するビアホールを設けてもよい。
【０１２７】
［２４］  次に、接合体１７’の両面にそれぞれ形成されている導体層３および１３に対し、それぞれ、所定のパターニングを施して、所望の形状の配線３１および１３１を形成する（図２２参照）。このとき、端子１０５に接続している配線３１とは分離（絶縁）された配線３３を形成する。
【０１２８】
なお、この導体層３、１３へのパターニングは、前記導体層５、１１へのパターニングと同様の方法により行うことができる。
【０１２９】
また、このパターニングにより、導体層３および１３の不要部２３および１２３を支持していた部分が除去され、その結果、不要部２３および１２３は分離され、除去される。
【０１３０】
［２５］  また、ビアホール１５内に金属材料１６を充填する。これにより、配線５１と配線３３の所定部同士が電気的に接続される（図２２参照）。金属材料１６の充填方法は、特に限定されず、例えば、金属メッキ、金属ペーストやナノメタルインクの充填および加熱等の方法により行うことができる。
【０１３１】
以上のようにして、光導波路形成基板１７が完成する。光導波路形成基板１７は、面方向に見て、硬質の基板２および１２が残存している硬質部（リジッド部）１７１、１７３と、それらの間に位置する可撓性部（フレキシブル部）１７５とを有している。可撓性部１７５は、硬質基板の一部である不要部２３および１２３が除去され、光導波路９および配線５１、１１１が絶縁層６、１０間に挟まれた構成の積層構造体となっており、これにより、この部分は可撓性を有し、湾曲変形が可能となる。
【０１３２】
この場合、硬質部１７１および１７３における光導波路９はもちろんのこと、可撓性部１７５における光導波路９においても、その両面が絶縁層６および１０により保護されているため、損傷、変質、劣化等が防止される。
【０１３３】
図示の実施形態では、素子１の両端子１０３、１０５への通電（発光部１０１の点灯）を、光導波路形成基板１７の下面にそれぞれ並んで位置する配線３１、３３間への通電により行うことができる。
【０１３４】
素子１の端子１０３、１０５間へ通電がなされると、発光部１０１が点灯し、図２２中上方へ向かって発せられた光は反射面９６で反射されて９０°屈曲し、光導波路９のコア部９４に入り、該コア部９４に沿って進む。
【０１３５】
図示の光導波路形成基板１７において、光導波路９は、硬質部１７１、１７３と可撓性部１７５との双方にまたがって形成されており、しかも、そのほとんどの箇所が、光導波路形成基板１７の内部に形成されている。そのため、光導波路９は、耐久性、特性の安定性に優れ、電子部品の信頼性向上に寄与する。特に、可撓性部１７５が湾曲変形した場合でも、光導波路９は損傷することはなく、導光特性に悪影響を及ぼすこともない。
【０１３６】
また、素子１の厚さは、光導波路形成基板１７の硬質部１７１の厚さより薄く、該硬質部１７１の内部に位置しており（内蔵されており）、表面に露出していない。これにより、素子１は、損傷や酸化劣化等から保護され、電子部品の信頼性向上に寄与する。
【０１３７】
なお、本発明において、得られた光導波路形成基板の構造、層構成、可撓性部の有無や形状、配置等は、図示のものに限定されないことは言うまでもない。例えば、硬質の基板としては、上方の基板１２を有さず、基板２のみ、特に下方の不要部２３が除去された基板２のみを有する構造のものでもよい。さらに、可撓性部が２箇所以上形成されたものや、比較的広域に形成されたものでもよい。
【０１３８】
また、前述の実施形態において、素子１としては、発光素子を代表例として説明したが、受光部を有する受光素子であってもよい。この場合には、前記発光部１０１に代えて、コア部９４により形成される導光路を受光部へ導く構成とされ、また、コア部形成の位置合わせを当該受光部を指標として行うことができ、それによる効果も前記と同様である。
【０１３９】
また、光導波路形成基板は、発光素子と受光素子の双方を少なくとも１組搭載するものでもよく、発光素子と受光素子の少なくとも一方（好ましくは双方）が上述した要件を満たすものであればよい。
【０１４０】
以上、本発明を図示の実施形態に基づいて説明したが、本発明はこれらに限定されるものではなく、各工程のうちの一部が省略されていてもよく、あるいは、各工程の前後に任意の工程が付加されていてもよい。
【図面の簡単な説明】
【０１４１】
【図１】本発明の光導波路形成基板の製造方法の工程例を模式的に示す断面図である。
【図２】本発明の光導波路形成基板の製造方法の工程例を模式的に示す断面図である。
【図３】本発明の光導波路形成基板の製造方法の工程例を模式的に示す断面図である。
【図４】本発明の光導波路形成基板の製造方法の工程例を模式的に示す断面図である。
【図５】本発明の光導波路形成基板の製造方法の工程例を模式的に示す断面図である。
【図６】本発明の光導波路形成基板の製造方法の工程例を模式的に示す断面図である。
【図７】本発明の光導波路形成基板の製造方法の工程例を模式的に示す断面図である。
【図８】本発明の光導波路形成基板の製造方法の工程例を模式的に示す断面図である。
【図９】本発明の光導波路形成基板の製造方法の工程例を模式的に示す断面図である。
【図１０】本発明の光導波路形成基板の製造方法の工程例を模式的に示す断面図である。
【図１１】本発明の光導波路形成基板の製造方法の工程例を模式的に示す断面図である。
【図１２】本発明の光導波路形成基板の製造方法の工程例を模式的に示す断面図である。
【図１３】本発明の光導波路形成基板の製造方法の工程例を模式的に示す断面図である。
【図１４】本発明の光導波路形成基板の製造方法の工程例を模式的に示す斜視図（部分断面図）である。
【図１５】本発明の光導波路形成基板の製造方法の工程例を模式的に示す断面図である。
【図１６】本発明の光導波路形成基板の製造方法の工程例を模式的に示す断面図である。
【図１７】本発明の光導波路形成基板の製造方法の工程例を模式的に示す断面図である。
【図１８】本発明の光導波路形成基板の製造方法の工程例を模式的に示す断面図である。
【図１９】本発明の光導波路形成基板の製造方法の工程例を模式的に示す断面図である。
【図２０】本発明の光導波路形成基板の製造方法の工程例を模式的に示す断面図である。
【図２１】本発明の光導波路形成基板の製造方法の工程例を模式的に示す断面図である。
【図２２】本発明の光導波路形成基板の製造方法の工程例を模式的に示す断面図である。
【符号の説明】
【０１４２】
１          素子（発光素子または受光素子）
１０１      発光部（受光部）
１０３      端子
１０５      端子
２’        基板（未硬化）
２          基板（硬化後）
２１        溝
２３        不要部（除去部）
２５        開口
３          導体層（第１導体層）
３１        配線
３３        配線
４’        半田ペースト
４          半田
５          導体層（第２導体層）
５１        配線
５３        除去部
６          絶縁層
６１        溝
６３        不要部（除去部）
６５        開口
７          接着層
７１        開口
７３        開口
８          ワイヤ
９          光導波路
９１        クラッド層
９３        コア層
９４        コア部
９５        クラッド部
９６        反射面
９７        クラッド層
１０        絶縁層
１１        導体層
１１１      配線
１２        基板
１２１      溝
１２３      不要部（除去部）
１３        導体層
１３１      配線
１４        接着層
１４１      開口
１５        ビアホール
１６        金属材料
１７’      接合体
１７        光導波路形成基板
１７１      硬質部（リジッド部）
１７３      硬質部（リジッド部）
１７５      可撓性部（フレキシブル部）
１８        治具
１８０      基板当て付け面
１８１      凹部
１８３      凸部
１９        離型フィルム
２０        マスク
２０１      開口
【図１】
2006178121.tif 000003
【図２】
2006178121.tif 000004
【図３】
2006178121.tif 000005
【図４】
2006178121.tif 000006
【図５】
2006178121.tif 000007
【図６】
2006178121.tif 000008
【図７】
2006178121.tif 000009
【図８】
2006178121.tif 000010
【図９】
2006178121.tif 000011
【図１０】
2006178121.tif 000012
【図１１】
2006178121.tif 000013
【図１２】
2006178121.tif 000014
【図１３】
2006178121.tif 000015
【図１４】
2006178121.tif 000016
【図１５】
2006178121.tif 000017
【図１６】
2006178121.tif 000018
【図１７】
2006178121.tif 000019
【図１８】
2006178121.tif 000020
【図１９】
2006178121.tif 000021
【図２０】
2006178121.tif 000022
【図２１】
2006178121.tif 000023
【図２２】
2006178121.tif 000024